(57)【特許請求の範囲】
【請求項１】
表示面が筐体の背面側に配される背面ＬＣＤと、表示面が筐体の会合面側に配されるメインＬＣＤと、を備える折り畳み型携帯電話機において、
前記筐体の開閉状態を検出する開閉検出手段と、
前記開閉検出手段から発信された信号を受けることにより前記背面ＬＣＤ及び前記メインＬＣＤに供給する電源のスイッチングを自動制御する制御部と、
前記折り畳み型携帯電話機の筐体における会合面以外の所定の位置に配されたスイッチボタンと、
前記スイッチボタンの押下を検出する押下検出手段と、
を備え、
前記制御部は、
メイン電源を入れてから所定時間前記背面ＬＣＤ及び前記メインＬＣＤに電源を供給するように制御するとともに、
閉状態を検出している前記開閉検出手段からの信号を受けることにより前記背面ＬＣＤ及び前記メインＬＣＤに電源を供給しないように制御し、
開状態を検出している前記開閉検出手段からの信号を受けることにより前記背面ＬＣＤに電源を供給しないで前記メインＬＣＤに電源を供給するように制御し、
閉状態を検出している前記開閉検出手段からの信号を受け、かつ、押下を検出した前記押下検出手段からの信号を受けることにより前記折り畳み型携帯電話機のユーザが設定した一定時間だけ前記背面ＬＣＤのみに電源を供給するように制御する、ことを特徴とする折り畳み型携帯電話機。
【請求項２】
前記制御部は、
閉状態を検出している前記開閉検出手段からの信号のみを受けることにより前記背面ＬＣＤ及び前記メインＬＣＤに電源を供給しないように制御するとともに、
開状態を検出している前記開閉検出手段からの信号のみを受けることにより前記背面ＬＣＤに電源を供給しないで前記メインＬＣＤに電源を供給するように制御する、
ことを特徴とする請求項１記載の折り畳み型携帯電話機。
【発明の詳細な説明】
【０００１】
【発明の属する技術分野】
本発明は、背面ＬＣＤを有する折り畳み型携帯電話機に関し、特に、電力消費量を抑える折り畳み型携帯電話機に関する。
【０００２】
【従来の技術】
背面ＬＣＤを備える折り畳み型携帯電話機は、筐体の手元側である背面に表示部であるＬＣＤを備えることで、筐体を開かずに簡単に情報を確認することができ、操作性が向上した。
【０００３】
【発明が解決しようとする課題】
しかし、その反面、ＬＣＤが会合面側とその背面側に２個備わることとなり、両ＬＣＤに電力が供給されることで、電力の消費量が増加し、待ち受け時間や通話時間を短縮してしまうという欠点があった。また、背面ＬＣＤの電源は常時入っている状態にあった。
【０００４】
本発明の目的は、電力消費量を抑え、待ち受け時間、通話時間の短縮を防ぐことができる背面ＬＣＤ付き折り畳み型携帯電話機を提供することである。
【０００５】
【課題を解決するための手段】
本発明の第１の視点においては、表示面が筐体の背面側に配される背面ＬＣＤと、表示面が筐体の会合面側に配されるメインＬＣＤと、を備える折り畳み型携帯電話機において、前記筐体の開閉状態を検出する開閉検出手段と、前記開閉検出手段から発信された信号を受けることにより前記背面ＬＣＤ及び前記メインＬＣＤに供給する電源のスイッチングを自動制御する制御部と、前記折り畳み型携帯電話機の筐体における会合面以外の所定の位置に配されたスイッチボタンと、前記スイッチボタンの押下を検出する押下検出手段と、を備え、前記制御部は、メイン電源を入れてから所定時間前記背面ＬＣＤ及び前記メインＬＣＤに電源を供給するように制御するとともに、閉状態を検出している前記開閉検出手段からの信号を受けることにより前記背面ＬＣＤ及び前記メインＬＣＤに電源を供給しないように制御し、開状態を検出している前記開閉検出手段からの信号を受けることにより前記背面ＬＣＤに電源を供給しないで前記メインＬＣＤに電源を供給するように制御し、閉状態を検出している前記開閉検出手段からの信号を受け、かつ、押下を検出した前記押下検出手段からの信号を受けることにより前記折り畳み型携帯電話機のユーザが設定した一定時間だけ前記背面ＬＣＤのみに電源を供給するように制御することを特徴とする。
【０００８】
また、前記折り畳み型携帯電話機において、前記制御部は、閉状態を検出している前記開閉検出手段からの信号のみを受けることにより前記背面ＬＣＤ及び前記メインＬＣＤに電源を供給しないように制御するとともに、開状態を検出している前記開閉検出手段からの信号のみを受けることにより前記背面ＬＣＤに電源を供給しないで前記メインＬＣＤに電源を供給するように制御することが好ましい。
【００１３】
【発明の実施の形態】
表示面が筐体の背面側に配される背面ＬＣＤと、表示面が筐体の会合面側に配されるメインＬＣＤと、を備える折り畳み型携帯電話機において、前記筐体の開閉状態を検出する開閉検出手段と、前記開閉検出手段から発信された信号を受けることにより前記背面ＬＣＤ及び前記メインＬＣＤに供給する電源のスイッチングを自動制御する制御部と、前記折り畳み型携帯電話機の筐体における会合面以外の所定の位置に配されたスイッチボタンと、前記スイッチボタンの押下を検出する押下検出手段と、を備え、前記制御部は、メイン電源を入れてから所定時間前記背面ＬＣＤ及び前記メインＬＣＤに電源を供給するように制御するとともに、閉状態を検出している前記開閉検出手段からの信号を受けることにより前記背面ＬＣＤ及び前記メインＬＣＤに電源を供給しないように制御し、開状態を検出している前記開閉検出手段からの信号を受けることにより前記背面ＬＣＤに電源を供給しないで前記メインＬＣＤに電源を供給するように制御し、閉状態を検出している前記開閉検出手段からの信号を受け、かつ、押下を検出した前記押下検出手段からの信号を受けることにより前記折り畳み型携帯電話機のユーザが設定した一定時間だけ前記背面ＬＣＤのみに電源を供給するように制御することにより、表示が不要なときの表示部の電源を切ることができ、電力消費量を抑えることができる。
【００１４】
【実施例】
本発明の実施例１を図面を用いて説明する。図１は、本発明の実施例１に係る折り畳み型携帯電話機の閉状態における第１の筐体の背面を模式的に示した平面図である。図２は、本発明の実施例１に係る折り畳み型携帯電話機の閉状態における構成を模式的に示した長軸方向の断面図である。この折り畳み型携帯電話機１は、第１の筐体２０と、第２の筐体２１と、を有する。
【００１５】
第１の筐体２０は、第２の筐体２１とヒンジ部６を介して回転可能に連結し、上端面には無線基地局との間で無線信号を送受信するＡＮＴ２を有し、背面の中央近傍には背面ＬＣＤ３の表示窓を有し、筐体内部の正面側の上部付近に音声情報を出力するマイク５が実装されており、筐体内部の正面側中央近傍にメール等の情報を表示するメインＬＣＤ８が実装されており、筐体内部の背面側中央近傍に時計等の簡単な情報を表示する背面ＬＣＤ３が実装されている。背面ＬＣＤ３の配置は、閉じた状態でも外部から見えるような構成となっている。
【００１６】
第２の筐体２１は、第１の筐体２０とヒンジ部６を介して回転可能に連結し、側端面には背面ＬＣＤ３の電源スイッチとなるサイドボタン１４が突出し、正面側中央近傍には情報の入力部となるキー操作部７が実装されており、筐体内部の下部付近に音声情報の入力部となるレシーバ４が実装されている。
【００１７】
次に、実施例１に係る折り畳み型携帯電話機の背面ＬＣＤとメインＬＣＤの電源制御回路の構成について図面を用いて説明する。図３は、本発明の実施例１に係る折り畳み型携帯電話機における背面ＬＣＤとメインＬＣＤの電源制御回路の構成を模式的に示したブロック図である。
【００１８】
電源回路部１０は、バッテリからの電源を一定電圧で背面ＬＣＤ３とメインＬＣＤ８に供給する。背面ＬＣＤ３には、電源回路部１０からＳＷ１２を介して電源が供給される。メインＬＣＤ８には、電源回路部１０からＳＷ１３を介して電源が供給される。制御回路部９は、検出手段からの一定の状態信号１１を受けることによってＳＷ１２及びＳＷ１３のＯＮ／ＯＦＦのスイッチングを自動制御する。これにより、背面ＬＣＤ３とメインＬＣＤ８の電源がスイッチ制御される。検出信号１１とは、携帯電話機のある一定の状態を検出手段によって検出されたときに制御回路に伝えられる信号である。検出手段としては、筐体の開閉状態を検出する開閉検出手段１５、サイドボタンの押下を検出する押下検出手段１６、着信信号や通話信号を検出する着信・通話検出手段１７などである。
【００１９】
次に、実施例１に係る折り畳み型携帯電話機の動作について図面を用いて説明する。図４は、本発明の実施例１に係る折り畳み型携帯電話機の動作を模式的に示したフローチャートである。構成については図１〜３を参照されたい。
【００２０】
まず、折り畳み型携帯電話機にメイン電源を入れる（ステップＡ１）。次に、メイン電源が入ることにより、背面ＬＣＤ３、メインＬＣＤ８それぞれの電源が入り、背面ＬＣＤ３、メインＬＣＤ８それぞれに所定の表示が現れる（ステップＡ２）。
【００２１】
次に、筐体が閉じているか否かの確認を開閉検出手段１５で行う（ステップＡ３）。
【００２２】
開閉検出手段１５によって筐体が閉じていることが確認されれば（ステップＡ３の「ＹＥＳ」）、閉検出信号が開閉検出手段１５から制御回路部９に送られ、制御回路部９は背面ＬＣＤ３、メインＬＣＤ８を共に電源を切るようにＳＷ１２、ＳＷ１３を制御し、両ＬＣＤの表示を消す（ステップＡ６）。
【００２３】
一方、開閉検出手段１５によって筐体が閉じていることが検出されない、すなわち、筐体が開いていれば（ステップＡ３の「ＮＯ」）、開検出信号が開閉検出手段１５から制御回路部９に送られ、制御回路部９は背面ＬＣＤ３のみ電源を切るようにＳＷ１２を制御し、背面ＬＣＤ３の表示を消し、メインＬＣＤ８の電源は入れた状態にしておく（ステップＡ４）。そして、筐体が閉じたか否かの確認を開閉検出手段１５によって行う（ステップＡ５）。開閉検出手段１５によって筐体が閉じたことが検出されない、すなわち、筐体が開いていれば（ステップＡ５の「ＮＯ」）、開検出信号が開閉検出手段１５から制御回路部９に送られ、制御回路部９はステップＡ４の状態を維持する。一方、開閉検出手段１５によって筐体が閉じていることが検出されれば（ステップＡ５の「ＹＥＳ」）、閉検出信号が開閉検出手段１５から制御回路部９に送られ、制御回路部９は背面ＬＣＤ３、メインＬＣＤ８を共に電源を切るようにＳＷ１２、ＳＷ１３を制御し、両ＬＣＤの表示を消す（ステップＡ６）。
【００２４】
次に、サイドボタン１４の押下があったか否かの確認を押下検出手段１６で行う（ステップＡ７）。サイドボタンの押下がない場合（ステップＡ７の「ＮＯ」）は、ステップＡ３へ戻り、前記ステップのフローを繰り返す。一方、サイドボタンの押下があった場合（ステップＡ７の「ＹＥＳ」）は、押下検出信号が押下検出手段１６から制御回路部９に送られ、制御回路部９は背面ＬＣＤ３のみの電源を入れるようにＳＷ１２を制御し、背面ＬＣＤ３の表示を現し、指定時間（例えば、２０秒：ユーザが自由に時間設定できるものとする）経過後、制御回路部９は背面ＬＣＤ３の電源を切るようにＳＷ１２を制御し、背面ＬＣＤ３の電源を切り、背面ＬＣＤ３の表示を消す（ステップＡ８）。その後はＡ３へ戻り、前記説明のフローを繰り返す。
【００３８】
【発明の効果】
本発明によれば、必要に応じてＬＣＤの電源を自動的にＯＮ／ＯＦＦする機能を有しているため、電力消費量を軽減でき、待ち受け時間や通話時間の短縮を防止することができる。
【図面の簡単な説明】
【図１】本発明の実施例１に係る折り畳み型携帯電話機の閉状態における第１の筐体の背面を模式的に示した平面図である。
【図２】本発明の実施例１に係る折り畳み型携帯電話機の閉状態における構成を模式的に示した長軸方向の断面図である。
【図３】本発明の実施例１に係る折り畳み型携帯電話機における背面ＬＣＤとメインＬＣＤの電源制御回路の構成を模式的に示したブロック図である。
【図４】本発明の実施例１に係る折り畳み型携帯電話機の動作を模式的に示したフローチャートである。
【符号の説明】
１  折り畳み型携帯電話機
２  ＡＮＴ
３  背面ＬＣＤ
４  レシーバ
５  マイク
６  ヒンジ部
７  キー操作部
８  メインＬＣＤ
９  制御回路部
１０  電源回路部
１１  状態信号入力
１２、１３  ＳＷ
１４  サイドボタン
１５  開閉検出手段
１６  押下検出手段
１７  着信・通話検出手段
２０  第１の筐体
２１  第２の筐体
【図１】
0003623752.tif 000002
【図２】
0003623752.tif 000003
【図３】
0003623752.tif 000004
【図４】
0003623752.tif 000005